(57)【要約】      （修正有）【課題】光ディスク記録層からの受光部への戻り光に対して干渉を発生させる迷光の入射を低減して、ノイズ発生を防止し光量ロスを少なくする。【解決手段】複数の記録層を有する光ディスクに対して情報の記録及び／又は再生を行う光ピックアップ７において、光源３１から出射された光ビームを集光する対物レンズ３３と、光ディスク２からの戻り光を受光する受光部を有する光検出器３４と、光源と対物レンズとの間に配置され、光ディスクで反射された戻り光光路を出射光光路と分離する光路分離手段３５と、光路分離手段と受光部との間に設けられ、通過する光ビームの一部を遮光する遮蔽部又は回折する回折部を有する遮蔽手段３６とを備え、遮蔽部又は回折部は、情報の記録又は再生が行われる記録層とは異なる他の記録層又は表面で反射された光ビームのうち受光部に入射する中心領域を遮光又は回折して受光部に入射させないようにする。【選択図】図３
2008102990.tif 000002
【特許請求の範囲】
【請求項１】
光ビームの入射方向に一又は複数の記録層を有する光ディスクに対して情報の記録及び／又は再生を行う光ピックアップにおいて、
所定の波長の光ビームを出射する光源と、
上記光源から出射された光ビームを光ディスクの記録層に集光する対物レンズと、
上記光ディスクからの戻り光を受光する受光部を有する光検出器と、
上記光源と上記対物レンズとの間に配置され、上記光ディスクで反射された戻り光の光路を上記光源から出射された光ビームの光路と分離する光路分離手段と、
上記光路分離手段と、上記受光部との間に設けられ、通過する光ビームの一部を遮光する遮蔽部又は回折する回折部を有する遮蔽手段とを備え、
上記遮蔽手段の上記遮蔽部又は回折部は、情報の記録又は再生が行われる記録層とは異なる他の記録層又は表面で反射された光ビームのうち上記受光部に入射する光ビームの中心領域を遮光又は回折して上記受光部に入射させないようにする光ピックアップ。
【請求項２】
上記遮蔽手段に入射する光ビームの大きさに対する上記遮蔽部又は回折部の大きさの割合に比べて、上記受光部が形成された平面内での上記他の記録層又は表面で反射された光ビームのスポットサイズに対する上記受光面が形成された平面内での上記情報の記録又は再生が行われる記録層で反射された光ビームのスポットサイズの割合が大きくされた請求項１記載の光ピックアップ。
【請求項３】
上記遮蔽手段の上記遮蔽部又は回折部は、情報の記録又は再生が行われる記録層で反射される光ビームと、上記他の記録層又は表面で反射される他層光ビームとにより上記受光部上に形成される干渉縞の最内周の領域に対応する、上記他層光ビームが上記受光部に入射しないように遮光する請求項１記載の光ピックアップ。
【請求項４】
上記光源と上記対物レンズとの間に設けられ、上記光源から出射された光ビームを少なくとも３本の光ビームに分割する回折素子を備え、
上記光検出器は、上記３本の光ビームをそれぞれ受光する複数の受光部を有し、
上記遮蔽手段の上記遮蔽部又は回折部は、上記他の記録層又は表面で反射された光ビームのうち上記複数の受光部に入射するそれぞれ光ビームの中心領域を遮光又は回折して上記複数の受光部に入射させないように一又は複数設けられた請求項１記載の光ピックアップ。
【請求項５】
光ビームの入射方向に一又は複数の記録層を有する光ディスクに対して情報の記録及び／又は再生を行う光ピックアップと、上記光ディスクを回転する回転駆動手段とを備える光ディスク装置において、
上記光ピックアップは、所定の波長の光ビームを出射する光源と、
上記光源から出射された光ビームを光ディスクの記録層に集光する対物レンズと、
上記光ディスクからの戻り光を受光する受光部を有する光検出器と、
上記光源と上記対物レンズとの間に配置され、上記光ディスクで反射された戻り光の光路を上記光源から出射された光ビームの光路と分離する光路分離手段と、
上記光路分離手段と、上記受光部との間に設けられ、通過する光ビームの一部を遮光する遮蔽部又は回折する回折部を有する遮蔽手段とを備え、
上記遮蔽手段の上記遮蔽部又は回折部は、情報の記録又は再生が行われる記録層とは異なる他の記録層又は表面で反射された光ビームのうち上記受光部に入射する光ビームの中心領域を遮光又は回折して上記受光部に入射させないようにする光ディスク装置。
【発明の詳細な説明】
【技術分野】
【０００１】
本発明は、光ディスクに情報信号の記録を行い、光ディスクに記録された情報信号の再生を行うために用いられる光ピックアップ及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクが用いられ、この種の光ディスクに情報信号の記録を行い、あるいは光ディスクに記録された情報信号の再生を行うための光ディスク装置があり、この光ディスク装置には、光ディスクの半径方向へ移動され、この光ディスクに対して光ビームを照射する光ピックアップが設けられている。
【０００３】
この光ピックアップは、一般的に、光源、ビームスプリッタ、対物レンズ、受光素子等を有しており、光源から出射された光ビームがビームスプリッタを透過して、対物レンズによって集光されて光ディスクの記録層に光ビームのスポットが形成される。また、光ディスクの記録層に集光された光ビームは、反射されて再びビームスプリッタに入射され、このビームスプリッタによって光路が変更されて受光素子に入射される。
【０００４】
光ディスクには、単一の記録層を有する一層型のタイプのものと、記録層が複数設けられている多層型のタイプのものがある。この多層型の光ディスクにおいて、例えば、一の記録層に光ビームが集光されている場合に、この一の記録層に隣接する他の記録層等でも光ビームが反射される。
【０００５】
また、一層型の光ディスクにおいても、記録層に光ビームが集光されている場合に、光ディスクの表面でも光ビームが反射される（以下、この他の記録層又は表面を「他の記録層等」ともいう。）。
【０００６】
このように、記録又は再生を行うために集光している記録層で反射された光ビームのみならず、他の記録層等で反射された光ビームが、迷光として受光素子に入射してしまうおそれがある。
【０００７】
このような迷光は、例えば、ＲＦ（Radio Frequency）信号の品質の劣化やサーボ信号のオフセット等の不具合を引き起こす原因となり、また、光ディスクの各層で反射された光ビームの干渉を引き起こす原因ともなる。また、特に、トラッキングエラー信号生成等のために光ビームを回折素子等により分割した場合には、その光量比の関係で主光束と副光束との干渉は大きな問題を引き起こしてしまう。
【０００８】
一般的に、光源から出射された光ビームが回折素子等により０次光と±１次回折光に分離された場合、ＲＦ信号検出を行う主光束としての０次光の光強度を大きくするとともに、副光束としての±１次回折光による記録層の記録情報の消去を防止するため、０次光の光強度に対して、±１次回折光の光強度が約１０％程度とされている。
【０００９】
ここで、光ビームが集光される情報信号の記録又は再生を行われる記録層（以下、「フォーカス記録層」ともいう。）で反射され受光部で受光される０次光の単位面積当たりの光強度に対して、他の記録層等で反射され受光部で受光される０次光の単位面積当たりの光強度が例えば１０％程度とすると、フォーカス記録層で反射され受光部に受光される±１次回折光の光強度に対して、他の記録層等で反射され受光部に受光される０次光の光強度が略等しくなってしまい、±１次回折光を用いてトラッキングエラー信号検出、球面収差検出、ランドグルーブ検出、クロストーク検出を行う場合に大きな問題となる。
【００１０】
このように、複数の記録層を有する光ディスク等に対して情報信号の記録再生を行う場合、受光部では記録再生を行うフォーカス記録層からの戻り光以外にその前後にある他の記録層からの戻り光も存在してしまい、互いに干渉し合う。この干渉により、光検出器で検出された信号にノイズ成分が発生するという問題があった。
【００１１】
この問題を解決するため、特開２００５−６３５９５号公報に記載の光ピックアップのように、光学系の復路に干渉を防ぐための遮蔽部を有する遮蔽手段を配置して、他の記録層からの戻り光が受光部に入射するのを防止して干渉を避ける光ピックアップも考えられるが、光量ロスが大きくなってしまうという問題が発生してしまう（特許文献１参照）。
【００１２】
【特許文献１】特開２００５−６３５９５号公報
【発明の開示】
【発明が解決しようとする課題】
【００１３】
本発明の目的は、光ディスクの記録又は再生を行う記録層からの受光部への戻り光に対して干渉を発生させる迷光の入射を低減することにより、ノイズ成分の発生を防止するとともに、光量ロスを少なくすることを可能とする光ピックアップ及び光ディスク装置を提供することにある。
【課題を解決するための手段】
【００１４】
この目的を達成するため、本発明に係る光ピックアップは、光ビームの入射方向に一又は複数の記録層を有する光ディスクに対して情報の記録及び／又は再生を行う光ピックアップにおいて、所定の波長の光ビームを出射する光源と、上記光源から出射された光ビームを光ディスクの記録層に集光する対物レンズと、上記光ディスクからの戻り光を受光する受光部を有する光検出器と、上記光源と上記対物レンズとの間に配置され、上記光ディスクで反射された戻り光の光路を上記光源から出射された光ビームの光路と分離する光路分離手段と、上記光路分離手段と、上記受光部との間に設けられ、通過する光ビームの一部を遮光する遮蔽部又は回折する回折部を有する遮蔽手段とを備え、上記遮蔽手段の上記遮蔽部又は回折部は、情報の記録又は再生が行われる記録層とは異なる他の記録層又は表面で反射された光ビームのうち上記受光部に入射する光ビームの中心領域を遮光又は回折して上記受光部に入射させないようにする。
【００１５】
また、この目的を達成するため、本発明に係る光ディスク装置は、一又は複数の記録層を有する光ディスクに対して情報の記録及び／又は再生を行う光ピックアップと、上記光ディスクを回転する回転駆動手段とを備える光ディスク装置であり、この光ディスク装置に用いる光ピックアップとして、上述したようなものを用いたものである。
【発明の効果】
【００１６】
本発明は、情報の記録又は再生が行われる記録層とは異なる他の記録層又は表面で反射された光ビームのうち受光部に入射する光ビームの中心領域を遮光する遮蔽部又は回折部を有する遮蔽手段により、干渉を発生させる迷光の入射を効果的に低減して、光量ロスを極力低減した状態でノイズ成分の発生を防止することを実現する。
【発明を実施するための最良の形態】
【００１７】
以下、本発明を適用した光ピックアップを用いた光ディスク装置について、図面を参照して説明する。
【００１８】
本発明を適用した光ディスク装置１は、図１に示すように、光ディスク２に対して情報信号の記録及び／又は再生を行う記録再生装置である。
【００１９】
この光ディスク装置１で記録及び／又は再生を行う光ディスク２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００２０】
特に以下では、この光ディスク装置１で用いられる光ディスクとして、図２に示すように、多層型のタイプとして、２つの記録層を有する光ディスク２を用いるものとして説明するが、この光ディスク装置１及び光ピックアップにより情報信号の記録又は再生を行う光ディスクは、これに限られるものではなく、光ビームの入射方向に一又は複数の記録層が積層されて形成された光ディスクであればよい。具体的に、光ディスク２は、光ビームの入射側から順に、カバー層２ａ、記録層Ｌ１、記録層Ｌ２が形成されている。ここで、カバー層２ａの厚みは７５μｍに形成され、記録層Ｌ１と記録層Ｌ２との間隔は２５μｍに形成されている。
【００２１】
この光ディスク装置１は、図１に示すように、外筐３内に所要の各部材及び各機構が配置されて成り、外筐３には図示しないディスク挿入口が形成されている。
【００２２】
外筐３内には図示しないシャーシが配置され、該シャーシに取り付けられたスピンドルモーターのモーター軸にディスクテーブル４が固定されている。
【００２３】
シャーシには、平行なガイド軸５が取り付けられると共に図示しない送りモーターによって回転されるリードスクリュー６が支持されている。
【００２４】
光ピックアップ７は、図１に示すように、移動ベース８と、該移動ベース８に設けられた所要の光学部品と、移動ベース８上に配置された対物レンズ駆動装置９とを有し、移動ベース８の両端部に設けられた軸受部８ａ、８ｂがそれぞれガイド軸５に摺動自在に支持されている。
【００２５】
移動ベース８に設けられた図示しないナット部材がリードスクリュー６に螺合され、送りモーターによってリードスクリュー６が回転されると、ナット部材がリードスクリュー６の回転方向へ応じた方向へ送られ、光ピックアップ７がディスクテーブル４に装着される光ディスク２の半径方向へ移動される。
【００２６】
以上のように構成された光ディスク装置１は、スピンドルモータによって、光ディスク２を回転操作し、サーボ回路からの制御信号に応じてリードスクリュー６を駆動制御し、光ピックアップ１を光ディスク１１の所望の記録トラックに対応する位置に移動することで、光ディスク１１に対して情報の記録再生を行う。
【００２７】
次に、本発明が適用された上述した光ピックアップ７について説明する。この光ピックアップ７は、光ビームの入射方向に一又は複数の記録層を有する光ディスク２に対して情報の記録及び／又は再生を行う。
【００２８】
本発明を適用した光ピックアップ７は、図３に示すように、所定の波長の光ビームを出射する光源３１と、光源３１から出射された光ビームを光ディスク１１の信号記録面としての記録層上に集光する対物レンズ３３と、光ディスク２の記録層で反射された戻り光を受光する受光部３４ａを有する光検出器３４と、光源３１と対物レンズ３３との間に配置され、光ディスク２で反射された戻り光の光路を光源３１から出射された光ビームの光路と分離する光路分離手段としてビームスプリッタ３５と、ビームスプリッタ３５と光検出器３４との間に設けられ、通過する光ビームの一部を遮光する遮蔽部３６ａを有する遮蔽部材３６とを備える。
【００２９】
また、光ピックアップ１は、光源３１とビームスプリッタ３５との間に設けられ、光源３１から出射された光ビームの発散角を変えて略平行光とするコリメータレンズ３７と、ビームスプリッタ３５と光検出器３４との間に設けられ、ビームスプリッタ３５で反射された戻りの光ビームを光検出器３４の受光部３４ａ上に集光する集光レンズ３８とを備える。
【００３０】
光源３１は、例えば、波長４０５ｎｍ程度のレーザ光束を出射する半導体レーザである。尚、光源３１から出射される光ビームの波長は、４０５ｎｍ程度に限られるものではなく、例えば、６５０ｎｍ程度、７８０ｎｍ程度の波長の光ビームを出射するように構成してもよい。また、以下では、単一の波長の光ビームを出射する場合について説明するが、二以上の複数種類の波長の光ビームを出射する一又は複数の光源部を設けるように構成してもよい。
【００３１】
コリメータレンズ３７は、光源３１から入射された光ビームの発散角を変換して略平行光としてビームスプリッタ３５側に出射させる。
【００３２】
ビームスプリッタ３５は、コリメータレンズ３７により略平行光とされて入射された往路の光ビームを反射して対物レンズ３３側に向けて出射させるとともに、光ディスク２の記録層で反射され対物レンズ３３を経由して入射された戻りの光ビーム（以下、「復路の光ビーム」ともいう。）を透過して遮蔽部材３６側に向けて出射させる。このように、ビームスプリッタ３５は、復路の光ビームの光路を往路の光ビームの光路から分離させて、遮蔽部材３６、集光レンズ３８及び受光部３４ａ側に導く。
【００３３】
対物レンズ３３は、光ディスク２の種類に対応した開口数ＮＡとされ、例えば、開口数ＮＡが０．８５程度とされている。対物レンズ３３は、光ディスク２の選択される所望の記録層（信号記録面）上に入射した光ビームを集光する。尚、この対物レンズの開口数は、用いる光ディスク２の種類に応じたものを用いるものであり、０．８５程度に限られるものではなはく、例えば、０．６程度又は０．４５程度のものであってもよい。
【００３４】
遮蔽部材３６は、図４に示すように、ビームスプリッタ３５を透過された戻りの光ビームが入射され、この通過する光ビームの一部を遮光する遮蔽部３６ａと、この遮蔽部３６ａ以外の部分に形成され、入射した光ビームをそのまま透過させる透過部３６ｂとを有している。尚、図４中、略円形状とされた破線は、情報の記録又は再生が行われる記録層からの戻り光を示すものである。
【００３５】
遮蔽部材３６の遮蔽部３６ａは、図５及び図６に示すように、情報の記録又は再生が行われる記録層（以下、「フォーカス記録層」ともいう。）とは別の他の記録層又は表面（以下、「他の記録層等」ともいう。）で反射された光ビームＢ２のうち受光部３４ａに入射する光ビームの中心領域を遮光する。尚、図６中、Ｂ１は、フォーカス記録層で反射された光ビームを示し、Ｂ２は、他の記録層で反射された光ビームを示し、図５中Ｓ１は、フォーカス記録層で反射された光ビームにより形成されるスポットを示し、Ｓ２は、他の記録層で反射された光ビームにより形成されるスポットを示す。また、ここでは、遮蔽部材３６の遮蔽部３６ａは、略矩形に遮蔽部材３６の略中央部に形成され、光軸にその中心を一致させて配置されており、他の記録層で反射された光ビームのうち受光部３４ａに入射する光ビームの中心領域を遮光するように構成されている。ここで、遮蔽部３６ａは、略矩形とされたが、これに限られるものではなく、円形、楕円形、多角形に形成されてもよい。
【００３６】
尚、ここでは、二つの記録層を有する所謂二層光ディスクを用いるものとして説明したが、単一の記録層を有する光ディスクに対して情報の記録及び／又は再生を行うように構成してもよく、その場合には、遮蔽部材３６の遮蔽部３６ａは、光ディスク２の表面で反射された光ビームのうち受光部３４ａに入射する光ビームの中心領域を遮光して受光部３４ａに入射させないように構成される。
【００３７】
遮蔽部材３６は、他の記録層等で反射された光ビームのうち受光部３４ａに入射する光ビームの中心領域を遮光することで、迷光となる光ビームの主要な部分、すなわち、ノイズに大きく影響を与える部分が受光部３４ａに入射することを防止して、遮蔽部材３６を設けない場合に比べて大幅にノイズ成分の発生を低減する。また、遮蔽部材３６は、他の記録層等で反射された光ビームのうち受光部３４ａに入射する光ビームの全てを遮光する場合に比べて、光量のロスを大幅に低減する。
【００３８】
すなわち、遮蔽部材３６は、光量のロスを大幅に低減するとともに、ノイズ成分の発生を低減する。
【００３９】
また、具体的には、遮蔽部材３６の遮蔽部３６ａの大きさは、遮蔽部材３６に入射する光ビームの大きさに対する遮蔽部３６ａの大きさの割合に比べて、受光部３４ａが形成された平面内での他の記録層等で反射された光ビームのスポットサイズに対する受光部３４ａが形成された平面内でのフォーカス記録層で反射された光ビームのスポットサイズの割合が大きくなるように、形成されている。すなわち、図４、図５及び図６に示すように、遮蔽部３６ａの光軸に直交する面における面積をＡ１とし、遮蔽部材３６に入射するフォーカス記録層で反射された光ビームの光軸に直交する面における面積をＡ２とし、フォーカス記録層で反射された光ビームの受光部３４ａが形成された平面内におけるスポットＳ１の面積をＡＳ１とし、他の記録層等で反射された光ビームの受光部３４ａが形成された平面内におけるスポットＳ２の面積をＡＳ２とすると、（Ａ１／Ａ２）＜（ＡＳ１／ＡＳ２）の関係が成立するように、遮蔽部３６ａの大きさが決定されて形成されている。
【００４０】
尚、３層以上の記録層を有する光ディスクの場合には、この面積Ｓ２は、他の記録層のうち、最もフォーカス記録層に近接する記録層で反射された光ビームの受光部３４ａが形成された平面内におけるスポットの面積である。これは、最も近接する記録層により反射された光ビームが迷光として最も影響を与えるからである。また、１層しか記録層を有さない光ディスクにおいては、この面積Ｓ２は、表面で反射された光ビームの受光部３４ａが形成された平面内におけるスポットの面積である。
【００４１】
さらに、遮蔽部材３６の遮蔽部３６ａは、他の記録層で反射される他層光ビームのうち、フォーカス記録層で反射される光ビームと、他の記録層で反射される他層光ビームとにより、受光部３４ａ上に形成される干渉縞の最内周の領域に対応する部分が受光部３４ａに入射しないように遮光する大きさに形成されている。ここで、干渉縞の最内周の領域とは、明暗の縞が繰り返し形成されている干渉縞のうち最内周の明暗一対の領域をいう。
【００４２】
これにより、上述したように、フォーカス記録層で反射される光ビームと、他の記録層で反射される他層光ビームとが干渉する部分のうち、影響力の大きい中心部分の干渉を防止することでノイズ成分の主要部分の発生を防止し、ノイズ成分の発生を大幅に低減するとともに、光量ロスを防ぐことが可能となる。
【００４３】
ここで、遮蔽部材３６の遮蔽部３６ａが、フォーカス記録層で反射される光ビームと、他の記録層等で反射される光ビームとの干渉を防止できることについて説明するが、その説明に先立ち、干渉が発生してしまう現象について説明する。
【００４４】
図７に示すように、フォーカス記録層からの光ビームＢ１の波面は、略曲面とされた曲がった波面であるのに対して、他の記録層からの光ビームＢ２の波面は、略平面とされた波面となっている。この二つの光ビームは、所謂ニュートンリングの原理により、図８に示すような干渉縞が受光部３４ａ上に形成される。すなわち、この二つの光ビームの光路差が波長の整数倍のところでは、互いに光強度を強め合うことで明部となり、光路差が波長の整数倍から半波長ずれているところでは、互いに光強度を弱め合うことで暗部となることにより、干渉縞が光路差に応じて図８に示すように発生する。尚、図８は、模式的に暗部と明部とを示しているが、厳密には、光路差の波長の整数倍からのずれに応じて明部と暗部との中間的な光強度の部分も存在し、光路差に応じて順次明るさが変化しており、その結果として明部及び暗部からなる干渉縞が形成されている。そして、この干渉縞は、中心部分では光路差の変化が少なく中心から離れるほど光路差の変化が次第に大きくなっていることから、中心付近が最も粗な状態となっており、中心から離れるほど密となっている。
【００４５】
このとき、フォーカス記録層と、他の記録層との層間隔には、光ディスクの面内の位置に応じて微小な変化があり、この微小な変化等により干渉縞の明暗状態が変化する。すなわち、図８に示すような、明部及び暗部が形成される場合と、明部及び暗部が反転して形成されるような場合とに亘って明暗状態が順次変化する。そして、明暗状態が順次変化することにより、最も粗な状態に形成された中心付近の領域が干渉によるノイズ成分の支配的な原因となっている。
【００４６】
そして、上述の遮蔽部材３６の遮蔽部３６ａは、このノイズ成分の支配的な原因となっている受光部３４ａの中心付近の最も粗な状態に形成された明暗の部分を遮蔽することにより、完全には、ノイズ成分を遮蔽しないものの必要最低限のノイズ成分の発生を防止して、ノイズ成分の発生を大幅に低減するとともに、光量ロスを防ぐことが可能となる。
【００４７】
換言すると、遮蔽部材３６の遮蔽部３６ａは、他の記録層からの戻りの光ビームが受光部３４ａに入射する部分の全部を遮蔽することにより、フォーカス記録層からの戻り光の本来検出したい部分も大きく遮蔽してしまい、光量ロスが大きかった点についても改善するものであり、すなわち、ノイズ成分となる迷光の影響度を極力下げるとともに、光量ロスについても極力小さくすることを可能とする。
【００４８】
特に、短波長を用いた光ディスクにおいては、層間距離も小さくすることが可能となっており、この層間距離が小さい場合には迷光の影響と光量ロスとが特に問題となるが、この遮蔽部材３６は、他の記録層等からの迷光を防止するとともに光量ロスを低減することで、短波長を用いた光ディスクを多層構造にしたときのノイズ成分を大幅に低減して、記録容量の大容量化と、迷光の影響度を下げることによる良好な記録再生とを可能とする。
【００４９】
尚、上述の光ピックアップ７では、通過する光ビームの一部を遮光する遮蔽部３６ａを有する遮蔽部材３６を設けるように構成したが、これに限られるものではなく、例えば、通過する光ビームの一部を回折する回折部を有する遮蔽部材を設けるように構成し、この遮蔽部材の回折部が、フォーカス記録層とは異なる他の記録層又は表面で反射された光ビームのうち受光部３４ａに入射する光ビームの中心領域を回折して受光部３４ａに入射させないように構成してもよく、換言すると、上述の他の記録層又は表面で反射された光ビームのうち受光部３４ａに入射する光ビームの中心領域を受光部３４ａに入射させないように規制する光ビーム入射規制部を有するように構成すればよい。
【００５０】
集光レンズ３８は、遮蔽部材３６により光ビームの一部を遮蔽され入射された復路の光ビームの発散角を変換して、所定の発散角でこの光ビームを光検出器３４の受光部３４ａの各受光領域上に集束させる。
【００５１】
光検出器３４は、中央部に、例えば略正方形状に形成され入射した光ビームを受光して検出する受光部３４ａと、この受光部３４ａ以外の部分に光ビームを検出しない非受光部３４ｂとが設けられた受光素子を有し、この受光素子の受光部３４ａで受光した光ビームを検出する。
【００５２】
光検出器３４は、集光レンズ３８により集光された光ビームを受光し、情報信号とともにトラッキングエラー信号及びフォーカシングエラー信号等の各種信号を検出するために、受光部３４ａが複数の受光領域からなる所謂分割フォトディテクタとして構成され、情報信号、トラッキングエラー信号及びフォーカシングエラー信号等の各種信号を検出する。
【００５３】
以上のように構成された光ピックアップ７において、光源３１から光ビームが出射されると、コリメータレンズ３７によって平行光とされ、ビームスプリッタ３５により対物レンズ３３側に反射され、対物レンズ３３によって集光されて光ディスク２のフォーカス記録層にスポットが形成される。光ディスク２の記録層に集光された光ビームは、反射されて再びビームスプリッタ３５に入射され、ビームスプリッタ３５によって光路が変更されて、遮蔽部材３６及び集光レンズ３８を介して光検出器３４の受光部３４ａ上に集光される。
【００５４】
このとき、例えば、光ビームがフォーカス記録層として一の記録層Ｌ１に集光されている場合には、図９、図１０（ａ）及び図１０（ｂ）に示すように、記録層Ｌ１に集光された光ビームは、遮蔽部３６ａによって遮光された部分を除いて、集光レンズ３８によって受光素子の受光部３４ａに集光されて入射される。
【００５５】
同時に、他の記録層Ｌ２で反射された光ビームも遮蔽部材３６及び集光レンズ３８を介して受光素子に向かうが、他の記録層Ｌ２で反射された光ビームは、図１１、図１２（ａ）及び図１２（ｂ）に示すように、一部が遮蔽部３６ａによって遮られ、遮蔽部３６ａによって遮られなかった部分が受光素子の受光部３４ａ及び非受光部３４ｂに入射される。したがって、受光素子の受光部３４ａには、記録層で反射され受光部３４ａに向けられた光ビームのうち中心領域の光ビームは入射されず、それ以外の部分が入射される。
【００５６】
本発明を適用した光ピックアップ７は、光源３１、対物レンズ３３、光検出器３４、ビームスプリッタ３５及び遮蔽部材３６を備え、遮蔽部材３６の遮蔽部３６ａが、情報の記録又は再生が行われる記録層とは異なる他の記録層又は表面で反射された光ビームのうち受光部３４ａに入射する光ビームの中心領域を遮光するので、ノイズ成分の発生を大幅に低減するとともに、光量ロスを低減することを実現する。
【００５７】
尚、上述では、遮蔽部材３６の光軸付近に略矩形に形成された遮蔽部３６ａを設けるように構成したが、これに限られるものではなく、例えば、回折格子等によりトラッキングエラー信号等を検出するために光ビームを３ビームに分割するような光ピックアップの場合には、以下のように複数の遮蔽部を設けるように構成してもよい。
【００５８】
次に、図１３に示すように、光源３１から出射された光ビームを３ビームに分割する回折素子と、回折素子に分割され光ディスクの記録層で反射された戻りの３ビームをそれぞれ受光する複数の受光部を有する光検出器と、他の記録層で反射された光ビームのうち複数の受光部に入射する光ビームを遮光する複数の遮蔽部を有する遮蔽部材とを備える光ピックアップについて説明する。尚、以下の説明において、上述した光ピックアップ７と共通する部分については、共通の符号を付すとともに詳細な説明は省略する。
【００５９】
本発明を適用した光ピックアップ５０は、図１３に示すように、光源３１と、光源３１から出射された光ビームを少なくとも３本の光ビームに回折して分割する回折格子５２と、回折格子５２に分割された３本の光ビームをそれぞれ光ディスク２の記録層に集光する対物レンズ３３と、光ディスク２の記録層で反射されたそれぞれの戻り光を受光する受光部５４ａ，５４ｂ，５４ｃを有する光検出器５４と、ビームスプリッタ３５と、ビームスプリッタ３５と光検出器５４との間に設けられ、通過する光ビームの一部を遮光する遮蔽部５６ａ，５６ｂ，５６ｃを有する遮蔽部材５６と、光源３１と回折格子５２との間に設けられるコリメータレンズ３７と、集光レンズ３８とを備える。
【００６０】
回折格子５２は、コリメータレンズ３７とビームスプリッタ３５との間に設けられ、光源３１から出射されコリメータレンズ３７に略平行光とされた光ビームをそのまま透過する０次光であるメインビームと、所定の回折角でメインビームから分岐される±１次回折光である第１及び第２のサブビームとからなる３本の光ビームに分割してビームスプリッタ３５側に出射させる。
【００６１】
遮蔽部材５６は、図１４に示すように、ビームスプリッタ３５を透過された戻りの光ビームが入射され、この通過する光ビームの一部を遮光する複数の遮蔽部５６ａ，５６ｂ，５６ｃと、この遮蔽部５６ａ，５６ｂ，５６ｃ以外の部分に形成される、入射した光ビームをそのまま透過させる透過部５６ｄとを有している。尚、図１４中、略円形状とされた破線は、情報の記録又は再生が行われる記録層からの戻り光を示すものである。
【００６２】
遮蔽部材５６の遮蔽部５６ａ，５６ｂ，５６ｃは、図１４及び図１５に示すように、他の記録層等で反射された光ビームのうちそれぞれの受光部５４ａ，５４ｂ，５４ｃに入射する光ビームの中心領域を遮光する。尚、図１５中Ｓ３１は、フォーカス記録層で反射されたメインビームにより形成されるスポットを示し、Ｓ３２は、フォーカス記録層で反射された第１のサブビームにより形成されるスポットを示し、Ｓ３３は、フォーカス記録層で反射された第２のサブビームにより形成されるスポットを示す。ここでは、遮蔽部材５６の遮蔽部５６ａは、略矩形に遮蔽部材５６の略中央部に形成され、光軸にその中心を一致させて配置され、遮蔽部材５６の遮蔽部５６ｂ，５６ｃは、略矩形に形成され、遮蔽部５６ａを挟んで分割された３本の光ビームを結ぶ方向の両側に配置されている。ここで、遮蔽部５６ｂ，５６ｃは、回折格子５２に分割された３本の光ビームのそれぞれが他の記録層で反射された戻りの光ビームのうち、後述する受光部５４ａ，５４ｂ，５４ｃに入射する部分をそれぞれ遮光する位置に配置されている。尚、遮蔽部５６ａ，５６ｂ，５６ｃは、ここでは、矩形とされたが、これに限られるものではなく、円形、楕円形、多角形に形成されてもよい。
【００６３】
遮蔽部材５６は、他の記録層等で反射された光ビームのうちそれぞれの受光部５４ａ，５４ｂ，５４ｃに入射する光ビームの中心領域を遮光することで、迷光となる光ビームの主要な部分、すなわち、ノイズに大きく影響を与える部分が受光部５４ａ，５４ｂ，５４ｃに入射することを防止して、遮蔽部材５６を設けない場合に比べて大幅にノイズ成分の発生を低減する。また、遮蔽部材５６は、他の記録層等で反射された光ビームのうち受光部５４ａ，５４ｂ，５４ｃに入射する光ビームの全てを遮光する場合に比べて、光量のロスを大幅に低減する。
【００６４】
すなわち、遮蔽部材５６は、光量のロスを大幅に低減するとともに、ノイズ成分の発生を低減する。
【００６５】
また、具体的には、遮蔽部材５６の遮蔽部５６ａ，５６ｂ，５６ｃの大きさは、遮蔽部材５６に入射する光ビームの大きさに対する遮蔽部５６ａ，５６ｂ，５６ｃの大きさの割合に比べて、受光部５４ａ，５４ｂ，５４ｃが形成された平面内での他の記録層等で反射された光ビームのスポットサイズに対する受光部５４ａ，５４ｂ，５４ｃが形成された平面内でのフォーカス記録層で反射された光ビームのスポットサイズの割合が大きくなるように、形成されている。
【００６６】
すなわち、図１４及び図１５に示すように、遮蔽部５６ａの光軸に直交する面における面積をＡ３１とし、遮蔽部５６ｂの光軸に直交する面における面積をＡ３２とし、遮蔽部５６ｃの光軸に直交する面における面積をＡ３３とし、遮蔽部材５６に入射するフォーカス記録層で反射されたメインビームの直交する面における面積をＡ４１とし、遮蔽部材５６に入射するフォーカス記録層で反射された第１のサブビームの直交する面における面積をＡ４２とし、遮蔽部材５６に入射するフォーカス記録層で反射された第２のサブビームの直交する面における面積をＡ４３とし、フォーカス記録層で反射されたメインビームの受光部５４ａが形成された平面内におけるスポットＳ３１の面積をＡＳ３１とし、フォーカス記録層で反射された第１のサブビームの受光部５４ｂが形成された平面内におけるスポットＳ３２の面積をＡＳ３２とし、フォーカス記録層で反射された第２のサブビームの受光部５４ｃが形成された平面内におけるスポットＳ３３の面積をＡＳ３３とし、他の記録層等で反射されたメインビームの受光部５４ａ，５４ｂ，５４ｃが形成された平面内におけるスポットの面積をＡＳ４１とすると、（Ａ３１／Ａ４１）＜（ＡＳ３１／ＡＳ４１）の関係が成立するように、遮蔽部５６ａの大きさが決定されて形成され、（Ａ３２／Ａ４２）＜（ＡＳ３２／ＡＳ４１）の関係が成立するように、遮蔽部５６ｂの大きさが決定されて形成され、（Ａ３３／Ａ４３）＜（ＡＳ３３／ＡＳ４１）の関係が成立するように、遮蔽部５６ｃの大きさが決定されて形成されている。尚、図１４中遮蔽部材５６に入射するフォーカス記録層で反射された第１及び第２のサブビームの直交する面における面積Ａ４２，Ａ４３は、Ａ４１と略重なっているため図示しないが、厳密にはフォーカス記録層で反射されたメインビームの直交する面における面積Ａ４１と略同等の面積のものが遮光部５６ａ，５６ｂ，５６ｃが並んだ方向、すなわち、第１及び第２のサブビームの回折方向に向けて僅かにずれて形成されている。また、図１５中、スポットＳ４は、他の記録層で反射されたメインビームの受光部５４ａ，５４ｂ，５４ｃが形成された平面内におけるスポットと、他の記録層で反射された第１及び第２のサブビームの受光部５４ａ，５４ｂ，５４ｃが形成された平面内におけるスポットとが重なりあって形成されたスポットである。
【００６７】
ここで、メインビーム並びに第１及び第２のサブビームの他の記録層で反射された光ビームは、それぞれの受光部５４ａ，５４ｂ，５４ｃに入射してしまうおそれがあるが、各関係式において右辺の分母をメインビームの面積であるＡＳ４１としたのは、メインビームは、第１及び第２のサブビームに対して、光量が大きく、フォーカス記録層で反射され受光面５４ａ，５４ｂ，５４ｃに入射するそれぞれの光ビームに干渉して主に影響を与えるのは、メインビームの他の記録層で反射された光ビームであるからである。
【００６８】
さらに、遮蔽部材５６の遮蔽部５６ａ，５６ｂ，５６ｃは、他の記録層で反射される他層光ビームのうち、フォーカス記録層で反射される光ビームと、他の記録層で反射される他層光ビームとにより、それぞれの受光部５４ａ，５４ｂ，５４ｃ上に形成される干渉縞の最内周の領域に対応する部分が受光部５４ａ，５４ｂ，５４ｃに入射しないように遮光する大きさに決定されている。ここで、干渉縞の最内周の領域とは、明暗の縞が繰り返し形成されている干渉縞のうち最内周の明暗一対の領域をいう。
【００６９】
これにより、上述したように、フォーカス記録層で反射される光ビームと、他の記録層で反射される他層光ビームとが干渉する部分のうち、影響力の大きい中心部分の干渉を防止することでノイズ成分の主要部分の発生を防止し、ノイズ成分の発生を大幅に低減するとともに、光量ロスを防ぐことが可能となる。
【００７０】
尚、ここで、遮蔽部材５６の遮蔽部５６ａ，５６ｂ，５６ｃが、フォーカス記録層で反射される光ビームと、他の記録層で反射される光ビームとの干渉を防止できることについては、上述した光ピックアップ７の場合と同様であるので、ここでは、詳細な説明は省略する。
【００７１】
このように、上述の遮蔽部材の遮蔽部５６ａ，５６ｂ，５６ｃは、このノイズ成分の支配的な原因となっているそれぞれの受光部５４ａ，５４ｂ，５４ｃの中心付近の最も粗な状態に形成された明暗の部分を遮蔽することにより、完全には、ノイズ成分を遮蔽しないものの必要最低限のノイズ成分の発生を防止して、ノイズ成分の発生を大幅に低減するとともに、光量ロスを防ぐことが可能となる。
【００７２】
換言すると、遮蔽部材５６の遮蔽部５６ａ，５６ｂ，５６ｃは、他の記録層からの戻りの光ビームが受光部５４ａ，５４ｂ，５４ｃのそれぞれに入射する部分の全部を遮蔽することにより、フォーカス記録層からの戻り光も大きく遮蔽してしまい、光量ロスが大きかった点についても改善するものであり、すなわち、ノイズ成分となる迷光の影響度を極力下げるとともに、光量ロスについても極力小さくすることを可能とする。
【００７３】
光検出器５４は、中央部に、例えば略正方形状に形成され入射したメインビームの戻り光を受光して検出する受光部５４ａと、この受光部５４ａを挟んで互いに反対側の位置に形成され入射した第１及び第２のサブビームの戻り光を受光して検出する受光部５４ｂ，５４ｃと、この受光部５４ａ，５４ｂ，５４ｃ以外の部分に光ビームを検出しない非受光部５４ｄとが設けられた受光素子を有し、この受光素子の受光部５４ａ，５４ｂ，５４ｃで受光した光ビームを検出する。受光部５４ａは、メインビームの戻り光を受光できる位置に形成され、受光部５４ｂは、第１のサブビームの戻り光を受光できる位置に形成され、受光部５４ｃは、第２のサブビームの戻り光を受光できる位置に形成されている。
【００７４】
光検出器５４は、集光レンズ３８により集光されたメインビーム並びに第１及び第２のサブビームの戻り光をそれぞれ受光し、情報信号とともにトラッキングエラー信号及びフォーカシングエラー信号等の各種信号を検出するために、受光部５４ａ，５４ｂ，５４ｃのそれぞれが一の受光領域からなるフォトディテクタ、又は複数の受光領域からなる所謂分割フォトディテクタとして構成され、情報信号、トラッキングエラー信号及びフォーカシングエラー信号等の各種信号を検出する。
【００７５】
尚、ここでは、メインビーム受光用の受光部５４ａと、第１のサブビーム受光用の受光部５４ｂと、第２のサブビーム受光用の受光部５４ｃとを、互いに離間して別個に設けるように構成したが、これに限られるものではなく、これらの受光部５４ａ，５４ｂ，５４ｃが隙間無く配置されたような、複数の受光領域からなる所謂分割フォトディテクタとして構成され、この複数の受光領域のうち一又は複数の受光領域が上述の３つの受光部として機能するように構成してもよい。すなわち、上述の受光部５４ａ，５４ｂ，５４ｃが一体とされた受光部を設けるように構成してもよい。
【００７６】
以上のように構成された光ピックアップ５０において、光源３１から光ビームが出射されると、コリメータレンズ３７によって平行光とされ、回折格子５２によって３ビームに分割され、ビームスプリッタ３５により対物レンズ３３側に反射され、対物レンズ３３によって集光されて光ディスク２のフォーカス記録層にスポットが形成される。光ディスク２の記録層に集光された光ビームは、反射されて再びビームスプリッタ３５に入射され、ビームスプリッタ３５によって光路が変更されて、遮蔽部材５６及び集光レンズ３８を介して光検出器５４の各受光部５４ａ，５４ｂ，５４ｃ上に集光される。
【００７７】
本発明を適用した光ピックアップ５０は、光源３１，回折格子５２，対物レンズ３３、光検出器５４、ビームスプリッタ３５及び遮蔽部材５６を備え、遮蔽部材５６の遮蔽部５６ａ，５６ｂ，５６ｃが、情報の記録又は再生が行われる記録層とは異なる他の記録層又は表面で反射された光ビームのうちそれぞれ受光部５４ａ，５４ｂ，５４ｃに入射する光ビームの中心領域を遮光するので、ノイズ成分の発生を大幅に低減するとともに、光量ロスを低減することを実現する。
【００７８】
尚、上述の光ピックアップ５０では、回折格子等によりトラッキングエラー信号等を検出するために光ビームを３ビームに分割するようにし、さらに複数の遮蔽部を有する遮蔽部材を設けるように構成したが、これに限られるものではなく、回折格子によりトラッキングエラー信号等を検出するために光ビームを３ビームに分割するようにし、他の記録層で反射された光ビームのうち複数の受光部に入射する光ビームを遮光する一の細長い形状に形成された遮蔽部を設けるように構成してもよい。
【００７９】
次に、図１３及び図１６に示すように、光線３１から出射された光ビームを３ビームに分割する回折素子と、回折素子に分割され光ディスクの記録層で反射された戻りの３ビームをそれぞれ受光する複数の受光部を有する光検出器と、他の記録層で反射された光ビームのうち複数の受光部に入射する光ビームを遮光する一の遮蔽部を有する遮蔽部材とを備える光ピックアップについて説明する。尚、以下の説明において、遮蔽部材５６に換えて遮蔽部材６６を用いること以外の構成は、上述した光ピックアップ５０と共通であり、上述した光ピックアップ７，５０と共通する部分については、共通の符号を付すとともに詳細な説明は省略する。
【００８０】
本発明を適用した光ピックアップ６０は、図１３に示すように、光源３１と、回折格子５２と、対物レンズ３３と、光検出器５４と、ビームスプリッタ３５と、ビームスプリッタ３５と光検出器５４との間に設けられ、通過する光ビームの一部を遮光する遮蔽部６６ａを有する遮蔽部材６６と、コリメータレンズ３７と、集光レンズ３８とを備える。
【００８１】
遮蔽部材６６は、図１６に示すように、ビームスプリッタ３５を透過された戻りの光ビームが入射され、この通過する光ビームの一部を遮光する一の遮蔽部６６ａと、この遮蔽部６６ａ以外の部分に形成される、入射した光ビームをそのまま透過させる透過部６６ｂとを有している。尚、図１６中、略円形状とされた破線は、情報の記録又は再生が行われる記録層からの戻り光を示すものである。
【００８２】
遮蔽部材６６の遮蔽部６６ａは、図１６及び図１７に示すように、他の記録層等で反射された光ビームのうちそれぞれの受光部５４ａ，５４ｂ，５４ｃに入射する光ビームの中心領域を遮光する。尚、図１７中Ｓ５１は、フォーカス記録層で反射されたメインビームにより形成されるスポットを示し、Ｓ５２は、フォーカス記録層で反射された第１のサブビームにより形成されるスポットを示し、Ｓ５３は、フォーカス記録層で反射された第２のサブビームにより形成されるスポットを示す。ここでは、遮蔽部材６６の遮蔽部６６ａは、分割された３本の光ビームを結ぶ方向に長辺が位置するように細長い形状に矩形状に形成され、光軸にその中心を一致させて配置されている。ここで、遮蔽部６６ａは、回折格子５２に分割された３本の光ビームのそれぞれが他の記録層で反射された戻りの光ビームのうち、後述する受光部５４ａ，５４ｂ，５４ｃに入射する部分をそれぞれ遮光する位置に配置されている。
【００８３】
遮蔽部材６６は、他の記録層等で反射された光ビームのうちそれぞれの受光部５４ａ，５４ｂ，５４ｃに入射する光ビームの中心領域を遮光することで、迷光となる光ビームの主要な部分、すなわち、ノイズに大きく影響を与える部分が受光部５４ａ，５４ｂ，５４ｃに入射することを防止して、遮蔽部材６６を設けない場合に比べて大幅にノイズ成分の発生を低減する。また、遮蔽部材６６は、他の記録層等で反射された光ビームのうち受光部５４ａ，５４ｂ，５４ｃに入射する光ビームの全てを遮光する場合に比べて、光量のロスを大幅に低減する。
【００８４】
すなわち、遮蔽部材６６は、光量のロスを大幅に低減するとともに、ノイズ成分の発生を低減する。
【００８５】
また、具体的には、遮蔽部材６６の遮蔽部６６ａの大きさは、遮蔽部材６６に入射する光ビームの大きさに対する遮蔽部６６ａの大きさの割合に比べて、受光部５４ａ，５４ｂ，５４ｃが形成された平面内での他の記録層等で反射された光ビームのスポットサイズに対する受光部５４ａ，５４ｂ，５４ｃが形成された平面内でのフォーカス記録層で反射された光ビームのスポットサイズの割合が大きくなるように、形成されている。
【００８６】
すなわち、図１６及び図１７に示すように、遮蔽部６６ａの光軸に直交する面における入射するフォーカス記録層で反射されたメインビームが入射する部分の面積をＡ５とし、遮蔽部材６６に入射するフォーカス記録層で反射されたメインビームの直交する面における面積をＡ６１とし、フォーカス記録層で反射されたメインビーム並びに第１及び第２のサブビームの受光部５４ａ，５４ｂ，５４ｃが形成された平面内におけるそれぞれのスポットの面積の和をＡＳ５とし、他の記録層等で反射されたメインビームの受光部５４ａ，５４ｂ，５４ｃが形成された平面内におけるスポットの面積をＡＳ６１とすると、（Ａ５／Ａ６１）＜（ＡＳ５／ＡＳ６１）の関係が成立するように、遮蔽部６６ａの大きさが決定されて形成される。ここで、面積ＡＳ５は、フォーカス記録層で反射されたメインビームの受光部５４ａが形成された平面内におけるスポットの面積ＡＳ５１と、フォーカス記録層で反射された第１のサブビームの受光部５４ｂが形成された平面内におけるスポットの面積ＡＳ５２と、フォーカス記録層で反射された第２のサブビームの受光部５４ｃが形成された平面内におけるスポットの面積ＡＳ５３との和である。尚、図１６中遮蔽部材６６に入射するフォーカス記録層で反射された第１及び第２のサブビームの直交する面における面積Ａ６２、Ａ６３は、Ａ６１と略重なっているため図示しないが、厳密にはフォーカス記録層で反射されたメインビームの直交する面における面積Ａ６１と略同等の面積のものが遮蔽部６６ａの長手方向、すなわち、第１及び第２のサブビームの回折方向に向けて僅かにずれて形成されている。また、図１７中、スポットＳ６は、他の記録層で反射されたメインビームの受光部５４ａ，５４ｂ，５４ｃが形成された平面内におけるスポットと、他の記録層で反射された第１及び第２のサブビームの受光部５４ａ，５４ｂ，５４ｃが形成された平面内におけるスポットとが重なりあって形成されたスポットである。
【００８７】
ここで、メインビーム並びに第１及び第２のサブビームの他の記録層で反射された光ビームが、それぞれの受光部５４ａ，５４ｂ，５４ｃに入射してしまうおそれがあるが、上述の関係式において右辺の分母を、メインビームの面積であるＡＳ６１としたのは、メインビームは、第１及び第２のサブビームに対して、光量が大きく、フォーカス記録層で反射され受光面５４ａ，５４ｂ，５４ｃに入射するそれぞれの光ビームに干渉して主に影響を与えるのは、メインビームの他の記録層で反射された光ビームであるからであり、左辺の分母を、メインビームの面積であるＡ６１としたのは、遮蔽部材６６に入射するフォーカス記録層で反射された、メインビームと、第１のサブビームと、第２のサブビームとの面積は、それぞれ略等しい面積とされているからである。
【００８８】
さらに、遮蔽部材６６の遮蔽部６６ａは、他の記録層で反射される他層光ビームのうち、フォーカス記録層で反射される光ビームと、他の記録層で反射される他層光ビームとにより、それぞれの受光部５４ａ，５４ｂ，５４ｃ上に形成される干渉縞の最内周の領域に対応する部分が受光部５４ａ，５４ｂ，５４ｃに入射しないように遮光する大きさに決定されている。ここで、干渉縞の最内周の領域とは、明暗の縞が繰り返し形成されている干渉縞のうち最内周の明暗一対の領域をいう。
【００８９】
これにより、上述したように、フォーカス記録層で反射される光ビームと、他の記録層で反射される他層光ビームとが干渉する部分のうち、影響力の大きい中心部分の干渉を防止することでノイズ成分の主要部分の発生を防止し、ノイズ成分の発生を大幅に低減するとともに、光量ロスを防ぐことが可能となる。
【００９０】
尚、ここで、遮蔽部材６６の遮蔽部６６ａが、フォーカス記録層で反射される光ビームと、他の記録層で反射される光ビームとの干渉を防止できることについては、上述した光ピックアップ７の場合と同様であるので、ここでは、詳細な説明は省略する。
【００９１】
このように、上述の遮蔽部材６６の遮蔽部６６ａは、このノイズ成分の支配的な原因となっているそれぞれの受光部５４ａ，５４ｂ，５４ｃの中心付近の最も粗な状態に形成された明暗の部分を遮蔽することにより、完全には、ノイズ成分を遮蔽しないものの必要最低限のノイズ成分の発生を防止して、ノイズ成分の発生を大幅に低減するとともに、光量ロスを防ぐことが可能となる。
【００９２】
換言すると、遮蔽部材６６の遮蔽部６６ａは、他の記録層からの戻りの光ビームが受光部５４ａ，５４ｂ，５４ｃのそれぞれに入射する部分の全部を遮蔽することにより、フォーカス記録層からの戻り光も大きく遮蔽してしまい、光量ロスが大きかった点についても改善するものであり、すなわち、ノイズ成分となる迷光の影響度を極力下げるとともに、光量ロスについても極力小さくすることを可能とする。
【００９３】
以上のように構成された光ピックアップ６０において、光源３１から光ビームが出射されると、コリメータレンズ３７によって平行光とされ、回折格子５２によって３ビームに分割され、ビームスプリッタ３５により対物レンズ３３側に出射され、対物レンズ３３によって集光されて光ディスク２のフォーカス記録層にスポットが形成される。光ディスク２の記録層に集光された光ビームは、反射されて再びビームスプリッタ３５に入射されビームスプリッタ３５によって光路が変更されて、遮蔽部材６６及び集光レンズ３８を介して光検出器５４の各受光部５４ａ，５４ｂ，５４ｃ上に集光される。
【００９４】
本発明を適用した光ピックアップ６０は、光源３１、回折格子５２、対物レンズ３３、光検出器５４、ビームスプリッタ３５及び遮蔽部材６６を備え、遮蔽部材６６の遮蔽部６６ａが、情報の記録又は再生が行われる記録層とは異なる他の記録層又は表面で反射された光ビームのうちそれぞれ受光部５４ａ，５４ｂ，５４ｃに入射する光ビームの中心領域を遮光するので、ノイズ成分の発生を大幅に低減するとともに、光量ロスを低減することを実現する。
【００９５】
また、本発明を適用した光ディスク装置１は、上述の光ピックアップ７，５０，６０を備えることにより、情報の記録又は再生が行われる記録層とは異なる他の記録層又は表面で反射された光ビームのうち受光部に入射する光ビームの中心領域を遮光するので、ノイズ成分の発生を大幅に低減するとともに、光量ロスを低減することを実現する。さらに、光ディスク装置１は、多層構造とされ記録容量の大容量化を実現する光ディスクに対して迷光の影響度を下げることにより良好な記録再生特性を実現する。
【図面の簡単な説明】
【００９６】
【図１】本発明を適用した光ディスク装置の概略を示す斜視図である。
【図２】本発明を適用した光ディスク装置及び光ピックアップに用いられる光ディスクの概略を示す断面図である。
【図３】本発明を適用した光ピックアップの光学系を説明する光路図である。
【図４】光ピックアップを構成する遮蔽部材の平面図である。
【図５】光ピックアップを構成する光検出器の受光部と同一平面上にフォーカス記録層及び他の記録層からの戻りの光ビームのスポットが形成された状態を示す平面図である。
【図６】受光部に集光されるフォーカス記録層及び他の記録層からの戻りの光ビームの状態を説明するための図であり、光ピックアップを構成する遮蔽部材、集光レンズ及び受光部の概略を示す側面図である。
【図７】受光部に集光されるフォーカス記録層及び他の記録層からの戻りの光ビームの光路差を説明するための図である。
【図８】受光部に集光されるフォーカス記録層及び他の記録層からの戻りの光ビームの光路差により形成される干渉縞を模式的に示す図であり、光ピックアップを構成する受光部の平面図である。
【図９】情報の記録又は再生が行われる記録層（フォーカス記録層）で反射された光ビームの状態を示す概念図であり、光ピックアップを構成する遮蔽部材、集光レンズ及び受光部の側面図である。
【図１０】図９に示す受光部に入射する光ビームの状態をさらに拡大して示す概念図であり、（ａ）は、受光部の側面図であり、（ｂ）は、受光部の平面図である。
【図１１】情報の記録又は再生が行われない記録層（他の記録層）で反射された光ビームの状態を示す概念図であり、光ピックアップを構成する遮蔽部材、集光レンズ及び受光部の側面図である。
【図１２】図１１に示す受光部に入射する光ビームの状態をさらに拡大して示す概念図であり、（ａ）は、受光部の側面図であり、（ｂ）は、受光部の平面図である。
【図１３】本発明を適用した光ピックアップの他の例の光学系を説明する光路図である。
【図１４】光ピックアップを構成する遮蔽部材の他の例を示す平面図である。
【図１５】図１４に示す遮蔽部材を設けた光ピックアップを構成する光検出器の受光部と同一平面上にフォーカス記録層及び他の記録層からの戻りの光ビームのスポットが形成された状態を示す平面図である。
【図１６】光ピックアップを構成する遮蔽部材のさらに他の例を示す平面図である。
【図１７】図１６に示す遮蔽部材を設けた光ピックアップを構成する光検出器の受光部と同一平面上にフォーカス記録層及び他の記録層からの戻りの光ビームのスポットが形成された状態を示す平面図である。
【符号の説明】
【００９７】
１  光ディスク装置、  ２  光ディスク、  ３  外筐、  ４  ディスクテーブル、  ５  ガイド軸、  ６  リードスクリュー、  ７  光ピックアップ、  ８  移動ベース、  ９  対物レンズ駆動装置、  ３１  光源、  ３３  対物レンズ、  ３４  光検出器、  ３４ａ  受光部、  ３５  ビームスプリッタ、  ３６  遮蔽部材、  ３６ａ  遮蔽部、  ３７  コリメータレンズ、  ３８  集光レンズ
【図１】
2008102990.tif 000003
【図２】
2008102990.tif 000004
【図３】
2008102990.tif 000005
【図４】
2008102990.tif 000006
【図５】
2008102990.tif 000007
【図６】
2008102990.tif 000008
【図７】
2008102990.tif 000009
【図８】
2008102990.tif 000010
【図９】
2008102990.tif 000011
【図１０】
2008102990.tif 000012
【図１１】
2008102990.tif 000013
【図１２】
2008102990.tif 000014
【図１３】
2008102990.tif 000015
【図１４】
2008102990.tif 000016
【図１５】
2008102990.tif 000017
【図１６】
2008102990.tif 000018
【図１７】
2008102990.tif 000019